(57)【特許請求の範囲】
【請求項１】
フイルムの先端側及び後端側に遮光用のリーダーペーパー及びトレーラーペーパーが設けられた遮光紙付きフイルムが用いられるカメラにおいて、
カメラ本体に設けられたフイルムレールとの間に少なくとも広狭２種類のトンネル隙間を形成する２位置間で移動自在な圧板と、リーダーペーパーとフイルムの先端とを接合している接合テープが圧板まで給送される前のリーダーペーパー給送期間中は圧板をトンネル隙間が狭い第１の位置に移動させ、前記リーダーペーパー給送期間の後には圧板をトンネル隙間が広い第２の位置に移動させる圧板位置切替装置とを備えたことを特徴とするカメラ。
【請求項２】
前記圧板位置切替装置は、前記接合テープが圧板を通過した後、第２の位置にある圧板を遮光紙付きフイルムの種類に応じた第３の位置に移動させることを特徴とする請求項１記載のカメラ。
【請求項３】
前記遮光紙付きフイルムの給送はフイルム送りモータの駆動によって行われるとともに、前記リーダーペーパー給送期間の終了は、前記フイルム送りモータの駆動が開始されてから所定時間の経過もしくはリーダーペーパーの所定長さ分の給送が検知されたことをもって、又は前記接合テープもしくはフイルムの先端が給送路上に設けられたフォトセンサで光電検知されたことをもって決められることを特徴とする請求項１又は２記載のカメラ。
【請求項４】
少なくともフイルムの先端側及び後端側に遮光用のリーダーペーパー及びトレーラーペーパーが設けられた遮光紙付きフイルムが用いられるカメラにおいて、
カメラ本体に設けられたフイルムレールとの間に少なくとも広狭２種類のトンネル隙間を形成する２位置間で移動自在な圧板と、フイルムの最終コマに撮影を行った後、少なくともフイルム給送を開始してフイルムの後端が圧板を通過するまでは圧板をトンネル隙間が広い第２の位置に保持し、フイルムの後端が圧板を通過した後のトレーラーペーパー給送期間中は圧板をトンネル隙間が狭い第１の位置に移動させる圧板位置切替装置とを備えたことを特徴とするカメラ。
【請求項５】
前記遮光紙付きフイルムの給送はフイルム送りモータの駆動によって行われるとともに、前記トレーラーペーパー給送期間の開始は、トレーラーペーパーとフイルムの後端とを接合している接合テープもしくはトレーラーペーパーの先端が給送路上に設けられたフォトセンサで光電検知されたことをもって決められることを特徴とする請求項４記載のカメラ。
【請求項６】
前記圧板位置切替装置は、リーダーペーパーとフイルムの先端とを接合している接合テープが圧板まで給送される前のリーダーペーパー給送期間中は圧板を前記第１の位置に移動させ、前記リーダーペーパー給送期間の後には圧板を前記第２の位置に移動させることを特徴とする請求項４記載のカメラ。
【発明の詳細な説明】
【０００１】
【発明の属する技術分野】
本発明は遮光紙付きフイルムを用いるカメラに関するもので、詳しくは遮光紙の有無等によってフイルム全長の中で厚みが異なる遮光紙付きフイルムを使用するカメラに関するものである。
【０００２】
【従来の技術】
遮光紙付きフイルムとしてブローニーフイルムが広く用いられている。ブローニーフイルムには１２０フイルムと２２０フイルムとがあり、１２０フイルムは遮光紙がフイルムの全長よりも長く、フイルムの先端側と後端側にそれぞれ所定長さのリーダーペーパー（先端側遮光紙），トレーラーペーパー後端側遮光紙）が延びている。２２０フイルムは、フイルムの背面には遮光紙がなく、フイルムの先端側と後端側にそれぞれ所定長さの遮光紙を接合してリーダーペーパー，トレーラーペーパーとしたものである。
【０００３】
ブローニーカメラは、上記１２０フイルムと２２０フイルムとの双方を装填して使用することができるようになっている。１２０フイルムと２２０フイルムとでは、フイルムの背面に遮光紙があるか否かによって厚みが異なるため、露光位置でフイルムを背面側から支持する圧板の位置をフイルムの種類によって切り換え、カメラ本体側のフイルムレールとの間にそれぞれ適正なトンネル隙間が形成されるようにしてある。
【０００４】
いずれのブローニーフイルムもスプールに巻き付けたままの状態で取り扱われるが、未使用時には外周側に巻きつけられたリーダーペーパーによってフイルムの遮光を行い、使用後には外周側に巻きつけられたトレーラーペーパーによってフイルムの遮光を行うようにしている。したがって、遮光紙には遮光性の高いものが用いられることはもとより、フイルムの外周に倣って隙間なく巻きつけることができ、しかも多層に巻きつけても全体の巻径があまり太くならないように、柔軟で薄いものが用いられている。
【０００５】
ところで、１２０フイルムではフイルムの先端が接合テープによって遮光紙に貼りつけられ、２２０フイルムではフイルムの先端と後端とがそれぞれ遮光紙に貼りつけられている。したがって１２０フイルムは、フイルムリーダー側から順に、遮光紙だけの厚み部分、遮光紙とフイルムと接合テープとを合わせた厚み部分、遮光紙とフイルムとを合わせた厚み部分、そして遮光紙だけの厚み部分と、全長にわたってその厚みが異なっている。また、２２０フイルムも、遮光紙だけの厚み部分、遮光紙とフイルムと接合テープとを合わせた厚み部分、フイルムだけの厚み部分、遮光紙とフイルムと接合テープとを合わせた厚み部分、遮光紙だけの厚み部分と、同様に全長でその厚みが異なっている。
【０００６】
【発明が解決しようとする課題】
上記のように、１２０フイルム，２２０フイルムのいずれもが、その全長にわたって厚みが不均一であるにも係わらず、これまでのブローニーカメラではフイルムの種類に応じて圧板の位置を切り換えているだけである。ところが、１２０フイルムを使用する場合には、フイルムと遮光紙とを合わせた厚みに応じて圧板の位置を設定すると、リーダーペーパーを給送する間はトンネル隙間が広すぎて巻取りスプールの給送トルクが軽くなる。
【０００７】
このため、リーダーペーパーが巻取りスプールに緩く巻かれてしまい、いわゆる巻き太りが生じやすい。そして、撮影途中でフイルム巻取り室の壁面に遮光紙部分が接して給送不良を発生させたり、あるいはトレーラーペーパーまで巻取りスプールに巻きつけようとしても、巻取りスプールの両端に設けられた一対のフランジ間にトレーラーペーパーが収まらずに遮光不良を生じさせる原因となる。同様に、トレーラーペーパーの巻取り時においても、トンネル隙間が広すぎるとトレーラーペーパーが緩く巻かれることになり、巻き太りによる遮光不良が生じやすくなる。なお、２２０フイルムを使用する場合であっても、リーダーペーパーやトレーラーペーパーの厚みがフイルム自体の厚みよりも薄くなると同様に生じてくるおそれがある。
【０００８】
本発明は上記従来技術の欠点を解決するためになされたもので、リーダーペーパーあるいはトレーラーペーパーを巻取りスプールに緊密に巻きつけることができるようにしたカメラを提供することを目的とする。
【０００９】
【課題を解決するための手段】
上記目的を達成するために、本発明では、フイルムの先端側及び後端側に遮光用のリーダーペーパー及びトレーラーペーパーが設けられた遮光紙付きフイルムが用いられるカメラにおいて、カメラ本体に設けられたフイルムレールとの間に少なくとも広狭２種類のトンネル隙間を形成する２位置間で移動自在な圧板と、リーダーペーパーとフイルムの先端とを接合している接合テープが圧板まで給送される前のリーダーペーパー給送期間中は圧板をトンネル隙間が狭い第１の位置に移動させ、前記リーダーペーパー給送期間の後には圧板をトンネル隙間が広い第２の位置に移動させる圧板位置切替装置とを備えたものである。
【００１０】
また、前記圧板位置切替装置は、前記接合テープが圧板を通過した後、第２の位置にある圧板を遮光紙付きフイルムの種類に応じた第３の位置に移動させるものであり、前記遮光紙付きフイルムの給送はフイルム送りモータの駆動によって行われるとともに、前記リーダーペーパー給送期間の終了は、前記フイルム送りモータの駆動が開始されてから所定時間の経過もしくはリーダーペーパーの所定長さ分の給送が検知されたことをもって、又は前記接合テープもしくはフイルムの先端が給送路上に設けられたフォトセンサで光電検知されたことをもって決められるものである。
【００１１】
また、少なくともフイルムの先端側及び後端側に遮光用のリーダーペーパー及びトレーラーペーパーが設けられた遮光紙付きフイルムが用いられるカメラにおいて、カメラ本体に設けられたフイルムレールとの間に少なくとも広狭２種類のトンネル隙間を形成する２位置間で移動自在な圧板と、フイルムの最終コマに撮影を行った後、少なくともフイルム給送を開始してフイルムの後端が圧板を通過するまでは圧板をトンネル隙間が広い第２の位置に保持し、フイルムの後端が圧板を通過した後のトレーラーペーパー給送期間中は圧板をトンネル隙間が狭い第１の位置に移動させる圧板位置切替装置とを備えたものである。
【００１２】
更に、前記遮光紙付きフイルムの給送はフイルム送りモータの駆動によって行われるとともに、前記トレーラーペーパー給送期間の開始は、トレーラーペーパーとフイルムの後端とを接合している接合テープもしくはトレーラーペーパーの先端が給送路上に設けられたフォトセンサで光電検知されたことをもって決められるものであり、前記圧板位置切替装置は、リーダーペーパーとフイルムの先端とを接合している接合テープが圧板まで給送される前のリーダーペーパー給送期間中は圧板を前記第１の位置に移動させ、前記リーダーペーパー給送期間の後には圧板を前記第２の位置に移動させるものである。
【００１３】
【発明の実施の形態】
図２は、裏蓋１０を開放した状態のカメラ本体１１を背面側から見たものである。アパーチャ１２を有するフイルム通路１３の両側には、フイルム供給室１４とフイルム巻取り室１５とが配置されている。フイルム供給室１４にはブローニーサイズの写真フイルム１６が、フイルム巻取り室１５には空のスプール１７が装填される。空のスプール１７の回動孔１７ａには、スプール回転軸１８（図１参照）が入り込み、このスプール回転軸１８の回転によりフイルム１６を空のスプール１７に巻き取る。
【００１４】
ブローニーフイルム１６は、予めスプール１７に巻き付けられた形態とされており、このままフイルム供給室１４に装填される。装填後は、リーダーペーパーの先端をフイルム巻取り室１５のスプール１７の溝１７ｂに差し込み、図示していない巻き上げボタンの押下操作によりスプール１７をフイルム巻き上げ方向に回転し、リーダーぺーパーをスプール１７に２〜３巻分だけ巻き付ける。なお、リーダーペーパーの先端に係止孔を設け、この係止孔をスプール１７の溝１７ｂ内に設けた爪に係止させるようにした写真フイルムの場合には、リーダーペーパー先端を溝内に挿入して爪に係止孔を係止させるだけでよく、上記２〜３巻きのスプール巻取り操作は不要になる。この後に、ヒンジ１９を中心として裏蓋１０を閉めると、裏蓋１０で検出ピン２０が押されて裏蓋スイッチ２１（図３参照）がオンになり、裏蓋１０の閉じ位置が検出される。そして、この検出に連動して後に説明するようにフイルム初期送りが自動的に行われる。
【００１５】
アパーチャ１２とフイルム供給室１４との間のフイルム通路１３には透明窓２２が設けてあり、この透明窓２２内に図３に示すように、フォトセンサからなるバーコードセンサ２３が配置されている。このバーコードセンサ２３は、写真フイルム１６に記録されたバーコード２４を読み取る。バーコード２４は接合テープ１６ｃの表面に記録されており、幅の異なる２種類の黒バーと白バーとの組み合わせにより、フイルム種別、フイルム感度、フイルム枚数のデータが記録されている。接合テープ１６ｃは、リーダーペーパー１６ａにフイルム１６ｂの先端を重ね、この重ね合わせ部分に貼り付けられている。バーコードセンサ２３はフォトセンサから構成されており、フイルム通路１３内の写真フイルム１６に赤外線を照射し、反射光を受光する。このバーコードセンサ２３は、受光した反射光の強度に応じた信号レベルの光電信号を出力し、これをコントローラ２５に送る。
【００１６】
図２に示すように、フイルム巻取り室１５内のフイルム通路１３側部分には、写真フイルム１６に接触して回転するカウンタローラ２６が配置されている。図１に示すように、カウンタローラ２６にはギヤ２７，２８を介して、搬送エンコーダ２９が連結されている。搬送エンコーダ２９は、エンコード板２９ａとフォトインタラプタ２９ｂとパルス発生器２９ｃ（図３参照）とから構成されている。エンコード板２９ａには、一定ピッチで放射状にスリットが形成されている。フォトインタラプタ２９ｂは、エンコード板２９ａのスリットの通過を検出する。図３に示すように、パルス発生器２９ｃは、フォトインタラプタ２９ｂがスリットを検出すると１個のパルス（搬送パルス）を発生する。この搬送パルスはコントローラ２５に送られる。
【００１７】
コントローラ２５は、ドライバ３５ａを介してフイルム送りモータ３５を回転させる。更に、コントローラ２５は、バーコードセンサ２３からのバーコード検出信号に基づき前記テープ１６ｃの通過を検出し、この検出タイミングに基づき、搬送エンコーダ２９からの搬送パルス数のカウントを開始する。そして、コントローラ２５は、カウント値が予め定めた一定値に達したときに、写真フイルム１６の１コマ目がアパーチャ１２にセットされたことを検出する。また、撮影後の１コマ送りでは、コントローラ２５は、搬送エンコーダ２９からの搬送パルス数が１コマ送り分に達したか否かを判定してコマ送りを行う。
【００１８】
更に、コントローラ２５は、ドライバ３６ａを介して圧板位置切替えモータ３６を回転させる。また、コントローラ２５には、周知のように測光部３０、ＡＦ部３１、露光部３２、レリーズスイッチ３３、液晶表示パネル（ＬＣＤ）３４等が接続されており、レリーズ操作により撮影が行われる。
【００１９】
図２に示すように、アパーチャ１２の上下には、フイルムレール４０，４１が配置されている。フイルムレール４０，４１は、裏蓋１０の側に向けて僅かに突出し、且つ、フイルム送り方向に沿って長く形成した細幅の突条から構成されている。そして、圧板４２と平行な表面（フイルム走行面）４０ａ，４１ａがフイルム乳剤面側の画面範囲外の両側縁部に接触して、フイルム走行時の案内面とされている。
【００２０】
上側フイルムレール４０の上方及び下側フイルムレール４１の下方には、フイルムレール４０，４１に沿って、細幅の一対の突条からなる圧板受けレール４３，４４が設けられている。図４に示すように、上側圧板受けレール４３の圧板４２と平行な表面４３ａは、フイルムレール４０のフイルム走行面４０ａよりも裏蓋１０の側に向けて僅かに突出して形成されている。同様に下側の圧板レール４４も構成されている。
【００２１】
また、下側の圧板受けレール４４の上端面と、上側の圧板受けレール４３の下端面との間隔は、フイルム幅よりも僅かに広くされている。したがって、これら端面により、写真フイルム１６の両側縁がずれることのないように案内される。また、フイルムレール４０，４１のフイルム走行面４０ａ，４１ａと、圧板受けレール４３，４４の圧板受け面４３ａ，４４ａとの間の段差分が厚みの薄いフイルム、本実施例では２２０ロールフイルムに応じたトンネル隙間Ｇ１となり、このＧ１は０．２３５±０．０５ｍｍの範囲に設定されている。
【００２２】
図２に示すように、裏蓋１０には、一対の取付金具４６とガイドピン４７とを介して圧板４２が撮影光軸方向に沿って変位自在に取り付けられている。また、裏蓋１０と圧板４２との間には一対の圧板バネ４８が配置されており、圧板４２をフイルム通路１３側に付勢している。なお、取付金具４６とガイドピン４７とを介して圧板４２を裏板１０に取り付ける代わりに、圧板バネ４８の自由端部４８ａを圧板によりスライド自在に保持させることにより、圧板を裏蓋に取り付けてもよい。
【００２３】
前記アパーチャ１２の四隅から少し離れた位置で、前記上側圧板受けレール４３の上方及び下側圧板受けレール４４の下方にはガイド孔５０が形成されている。これら４個のガイド孔５０は撮影光軸方向に形成されている。このガイド孔５０には、押動ピン５１が撮影光軸方向で出没自在に配置されている。押動ピン５１はつば付きとされており、図４に示すように、このつば５１ａがガイド孔５０の縁面５０ａに当たることで、ガイド孔５０からフイルム通路１３側に脱落することのないようにされている。
【００２４】
図１に示すように、各押動ピン５１は、押動カム５５によりシフトされる。押動カム５５は各押動ピン５１に対応する位置に配置されており、上下の押動カム５５が連結軸５６を介して接続されている。上側の押動カム５５には同軸でギヤ５７が固定されており、このギヤ５７は、圧板位置切替え用減速ギヤ列５８を介して圧板位置切替えモータ３６に連係されている。
【００２５】
圧板位置切替え信号を受けると、コントローラ２５は圧板位置切替えモータ３６を回転させる。圧板位置切替え用ギヤ列５８はモータ３６の回転を減速して押動カム５５に伝達する。これにより、押動カム５５が回転して、押動ピン５１を光軸方向にシフトさせる。このシフトにより、図４（Ｂ）に示すように、圧板受けレール４３の圧板受け面４３ａよりも押動ピン５１の先端が突出して、フイルム走行面４０ａと圧板４２との間のトンネル隙間がＧ１からＧ２に切り替えられる。これら押動ピン５１，押動カム５５，連結軸５６により圧板位置切替装置５２が構成されている。なお、本実施形態では、アパーチャ１２に対してフイルム供給室側の押動カム５５とフイルム巻取り室側の押動カム５５とは、互いに反対側に回転するようにしているが、これは同方向に回転させてもよい。
【００２６】
図１に示すように、圧板位置切替モータ３６の駆動軸には、モータ回転数エンコーダ６８が取り付けられている。モータ回転数エンコーダ６８は、搬送エンコーダ２９と同様に構成されており、エンコード板６８ａとフォトインタラプタ６８ｂとパルス発生器（図示せず）とを備えている。フォトインタラプタ６８ｂは、エンコード板６８ａの切欠きの通過を検出し、この検出に対応して１個のパルス（モータ回転パルス）を発生する。
【００２７】
このモータ回転パルスはコントローラ２５に送られる。コントローラ２５はこのフォトインタラプタ６８ｂのパルス数をカウントすることにより、圧板位置切替えモータ３６の回転数を得る。同様にして、スプール回転軸１８にもスプール回転数エンコーダ６９が取り付けられおり、フォトインタラプタ６９ｂによりエンコード板６９ａのスリットを検出することにより、スプール回転軸１８の回転数に応じたスプール回転パルスを発生し、これをコントローラ２５に送る。
【００２８】
図４及び図５に示すように、１２０タイプ及び２２０タイプ用の各トンネル隙間Ｇ１，Ｇ２を精度良く設定するために、押動カム５５の軸孔６０を撮影光軸方向に長い長孔に形成してある。この軸孔６０により押動カム５５の軸５５ａが撮影光軸方向に移動自在に保持される。また、連結軸５６を圧板４２側に付勢するためのカムバネ板６２が設けてある。このカムバネ板６２の付勢力Ｆ１は、圧板バネ４８の付勢力Ｆ２よりも大きくなるように設定されている。図４（Ｂ）及び図５（Ｂ）に示すように、押動カム５５が１２０タイプ用シフト位置にあるときには、この押動カム５５により押動ピン５１がシフト量Ｓ０で圧板方向に変位させられる。
【００２９】
また、カムバネ板６２により、押動ピン５１のつば５１ａがガイド孔５０の縁面５０ａに当たるように、押動ピン５１が付勢される。これにより、押動ピン５１は常に一定量だけ突出する。したがって、ガイド孔５０の縁面５０ａからフイルムレール４０，４１の走行面４０ａ，４１ａまでの距離ＬＧと、押動ピン５１の先端面５１ｂからつば５１ａまでの距離ＬＰとの寸法精度を上げておくことにより、たとえ押動カム５５のシフト量にある程度の寸法誤差があっても、この寸法誤差の影響を受けることがなく、圧板４２とフイルム走行面４０ａとのトンネル隙間Ｇ２を０．４±０．０２ｍｍの範囲に精度よく保つことができる。
【００３０】
また、図４（Ａ）及び図５（Ａ）に示すように、押動カムが２２０タイプ用シフト位置にあるときには、押動カム５５が軸孔６０内で圧板方向にカムバネ板６２の付勢で押しつけられているものの、シフト量は最小であるため、押動ピン５１の先端５１ｂは圧板受けレール４３の受け面４３ａよりも圧板方向に突出することはなく、圧板受けレール４３の受け面４３ａに圧板４２が当たるように、圧板バネ４８で付勢された状態になる。
【００３１】
図１に示すように、フイルム供給室側の上側押動カム５５を回転させるギヤ５７の上部には、表示ドラム７０が配置されている。この表示ドラム７０の周面には、前記トンネル隙間が１２０タイプ用か２２０タイプ用かを表示するための「１２０」及び「２２０」の数字が表示されている。この表示ドラム７０の数字は、カメラ本体１１の背面に形成した表示窓（図示せず）から観察され、これにより現在トンネル隙間がどのタイプのものにセットされているかを簡単に知ることができる。
【００３２】
他方の上側押動カム４５の押動ピン４１とは反対側には、トンネル隙間検出スイッチ７１が配置されている。このトンネル隙間検出スイッチ７１は、押動カム５５の周面に接触して接片７１ａが押されることで他方の接片７１ｂに接触して、現在設定されているトンネル隙間が１２０用か２２０用かを電気的に検出する。この検出信号はコントローラ２５に送られる。
【００３３】
図３はカメラのフイルム送り系と圧板切替え系とを制御するためのブロック図である。コントローラ２５は、周知のように、レリーズスイッチ３３等の操作に応じて各部３０〜３２を制御して撮影を行う他に、フイルム送りと圧板位置の切替えとを行う。
【００３４】
フイルム送り時には、フイルム送りモータ３５が回転され、これによりスプール回転軸１８がフイルム巻取り方向に回転して、フイルム１６をスプール１７に巻き取る。フイルム送りには、フイルム初期送りと、１コマ送りと、フイルム最終送りとがある。
【００３５】
フイルム初期送りでは、写真フイルム１６をカメラにセットした後に裏蓋１０を閉めると自動的に行われ、最初の１コマ目の撮影コマをアパーチャ１２にセットするまでフイルム１６を送る。１コマ送りは、シャッタレリーズ操作後に行われ、１コマ分だけフイルム１６を送る。フイルム最終送りは、最後の撮影コマを撮影した後にフイルム１６の全部をスプール１７に巻き取るまでフイルム１６を送る。
【００３６】
図６に示すように、フイルム初期送り時には、先ず裏蓋スイッチ２１により裏蓋１０が閉じられたか否かが検出される。そして、裏蓋１０が閉じられている場合にはトンネル隙間検出スイッチ７１により圧板位置が読み取られる。そして、１２０用の圧板位置である場合には、２２０用の圧板位置であるトンネル隙間Ｇ１になるように、圧板位置の切替え処理が行われる。また、２２０用の圧板位置である場合にはそのままとされる。次に、１０秒の安全タイマが起動されるとともに、搬送パルスのカウントが開始される。そして、フイルム送りモータ３５が起動され、フイルム送りが開始される。上述した安全タイマの値は常にチェックされており、所定の１０秒経過するまでに第１撮影コマがセットされない時には、何れも図６中のタイムオーバーの処理に従ってエラー処理が行われる。
【００３７】
フイルム送り中にバーコードセンサ２３が、リーダーペーパーの端部に貼付されている接合テープ１６ｃの端部を検出するか、搬送パルスのカウントがリーダーペーパーの先端から接合テープ１６ｃの端部位置までの距離に相当する「６０」に達すると、接合テープ１６ｃ部分が圧板４２を円滑に通過するように、２２０用の圧板位置であるトンネル隙間Ｇ１が、１２０用の圧板位置であるトンネル隙間Ｇ２になるよう圧板位置の切替え処理が行われる。また、接合テープ１６ｃの端部を検出するか、搬送パルスのカウントが６０に達しないまま、安全タイマが所定の時間（１０秒）を経過すると、給送エラーと判断され、フイルム送りモータ３５が停止し、初期送りエラー表示が液晶表示パネル３４に表示される。この場合には、裏蓋１０を開いて、写真フイルム１６の再セットを行なう。
【００３８】
圧板４２が１２０用の圧板位置に切替えられ、接合テープ１６ｃ上のバーコード２４がバーコードセンサ２３の位置に達すると、バーコードセンサ２３は、フイルム種類等を示すバーコード２４の情報を読み取る。また、バーコード２４の読み取りと同時に、搬送パルスのカウントがリセットされ、再び搬送パルスのカウントが開始される。そして、搬送パルスのカウントがバーコード２４から写真フイルム１６の１コマ目までの間の距離に相当する「８０」に達すると、フイルム送りモータ３５にブレーキがかけられた後に停止され、１コマ目がアパーチャ１２にセットされる。また、安全タイマが所定の時間（１０秒）を経過すると、給送エラーと判断され、フイルム送りモータ３５が停止し、初期送りエラー表示が液晶表示パネル３４に表示される。
【００３９】
１コマ目がアパーチャ１２にセットされると、次に、フイルム初期送り中に読み取ったバーコードに基づきフイルム種類が２２０ロールフイルムとされる場合には、圧板位置切替えモータ３６が起動され、圧板位置が２２０ロールフイルム用のトンネル隙間Ｇ１に切り換えられる。また、１２０ロールフイルムとされる場合にはそのままとされる。また、液晶表示パネル３４の撮影枚数カウンタの表示が「１」にされる。このように、フイルム初期送りの際には、巻き上げ開始直後はトンネル隙間は小さい隙間である２２０タイプ用のＧ１に設定された状態で行われるので、写真フイルム１６がトンネル隙間の通過する時に軽くテンションが掛かる状態で挟まれながら給送される。従って、写真フイルム１６が軽く引っ張られるようにスプール１７に巻きつけられ、巻き緩むことがなくなり、写真フイルム１６の巻き太りによる給送不能等が発生することがない。
【００４０】
そして、接合テープ１６ｃ部分が圧板４２を通過する際には、トンネル隙間が大きい隙間である１２０タイプ用のＧ２になるように、圧板位置に切替えるので、２２０タイプのみならずこれよりも厚い１２０タイプのフイルムであっても、最も厚みの増す接合テープ１６ｃの貼着部分が円滑に圧板４２を通過し、確実なフイルム送りが可能になる。
【００４１】
図７に示すように、圧板位置切替え処理では、先ずトンネル隙間検出スイッチ７１により現在の圧板位置が１２０用か２２０用かが読み取られる。そして、読み取った圧板位置が目標位置か否かが判定され、目標位置でない場合に、圧板位置切替えモータ３６が起動される。また、このモータ起動に伴い安全タイマが起動される。そして、トンネル隙間検出スイッチ７１により圧板位置が切り替わったか否かが検出される。圧板位置が切り替わっている場合には、圧板位置切替えモータ３６にブレーキ（５０ｍｓの逆転）がかけられた後にモータ３６が停止される。そして、この後に、液晶表示パネル３４のフイルム種別表示が切り換えられる。
【００４２】
また、圧板位置切替えモータ３６を起動してから２秒経過しても圧板位置が切り替わらない場合には、圧板位置切替えモータ３６を停止した後に、圧板位置切替えエラー表示が液晶表示パネル３４に表示される。エラー処理では、マニュアル操作によって圧板位置切替え信号が入力され、再度の圧板位置切替え処理が行われる。そして、このエラー処理においても圧板位置が切り替わらない場合には液晶表示パネル３４に故障表示が行われる。
【００４３】
各コマの撮影を終了すると、その都度フイルム送りモータ３５が回転され、フイルム１６が１コマ分送られる。この１コマ送りの際は、カウンタローラ２６に設けた搬送エンコーダ２９からの搬送パルス数がカウントされ、１コマ分の送り量が検出され、コマ送りが確実に行われる。
【００４４】
図８に示すように、全てのコマの撮影が終了すると、フイルム最終送りが行われる。先ず、トンネル隙間検出スイッチ７１により現在の圧板位置が１２０用か２２０用かが読み取られる。２２０用のトンネル隙間Ｇ１である場合には、１２０用のトンネル隙間Ｇ２になるように圧板位置の切替え処理が行われる。これにより、後部の接合テープ１６ｃ部分が圧板４２を円滑に通過するようになる。切替え処理後及び１２０用のトンネル隙間の場合には、フイルム送りモータ３５が起動される。
【００４５】
フイルム巻取りが開始され、バーコードセンサ２３がトレーラーペーパーを検出すると、接合テープ１６ｃ部分が圧板４２を通過したと判断し、１２０用の圧板位置であるトンネル隙間Ｇ２が、２２０用の圧板位置であるトンネル隙間Ｇ１になるよう圧板位置の切替え処理が行われる。また、トレーラーペーパーを検出しないまま、安全タイマが所定の時間（１０秒）を経過すると、フイルム送りモータ３５が停止された後に、最終送りエラー表示が液晶表示パネル３４に表示され、エラー処理が行われる。エラー処理では、これ以降の撮影を禁止する。
【００４６】
トンネル隙間Ｇ１になるよう圧板位置の切替え処理が行われ、搬送エンコーダ２９の搬送パルス数が所定値に達した後に、搬送パルスの発生が停止することにより、フイルムの巻取り完了が判定される。そして、安全タイマが起動して所定の時間（３秒）を経過後に、フイルム送りモータ３５にブレーキ（５０ｍｓの逆転）がかけられた後にモータ３５が停止される。そして、この後に、液晶表示パネル３４に送り完了を示す「Ｅ」が表示される。この状態でカメラの裏蓋１０を開け、撮影済みのフイルムが取り出された後、空となったスプール１７がフイルム巻取り室１５にセットされる。
【００４７】
このように、フイルム最終送りの際には、巻取り開始から後部の接合テープ１６ｃ部分が圧板４２を通過するまでは、トンネル隙間は大きい隙間である１２０タイプ用のＧ２に設定された状態で行われるので、２２０タイプのみならずこれよりも厚い１２０タイプのフイルムであっても、最も厚みの増す接合テープ１６ｃの貼着部分が円滑に圧板４２を通過し、確実なフイルム巻取りが可能になる。そして、接合テープ１６ｃの貼着部分が圧板４２を通過後は、トンネル隙間が小さい隙間である２２０タイプ用のＧ１になるように、圧板位置に切替えるので、写真フイルム１６がトンネル隙間の通過する時に軽くテンションが掛かる状態で挟まれながら給送される。従って、写真フイルム１６が軽く引っ張られるようにスプール１７にしっかり巻きつけられて巻き緩むことがなくなり、写真フイルム１６の巻き太りによる給送不能等が発生することがない。
【００４８】
トンネル隙間はフイルム初期送りの際に読み取られたフイルム種別に応じて予め自動設定される。しかも電源をオフにしても押動カム５５は変位することがないので、装填されたフイルム種別に応じた状態でトンネル隙間は維持される。したがって、カメラを使わない場合に電源をオフにしても、トンネル隙間が変更されることはなく、装填したフイルム種別に応じたトンネル隙間になっている。これにより、トンネル隙間表示窓から表示ドラム７０の表示を確認することで、現在セットされている写真フイルム１６の種別を簡単に知ることができる。
【００４９】
なお、上述した実施形態では、フイルム種別に応じた圧板位置切替えを、１コマ目がアパーチャ１２にセットされた後に行っているが、接合テープ１６ｃが圧板４２を通過した直後に、フイルム種別に応じた圧板位置切替えを行っても良い。
【００５０】
また、上記実施形態では、圧板位置切替えモータ３６を用いて圧板位置の切替えを行うようにしたが、この他に、図９に示すように、フイルム送りモータ３５と遊星ギヤクラッチ５９とを用い、フイルム送りモータ３５の回転により、フイルム送りと圧板位置の切り替えとを選択的に行うようにしてもよい。なお、図１に示す実施形態と同一構成部材に同一符号が付してある。この場合には、図１０に示すように、遊星ギヤクラッチ５９を、太陽ギヤ５９ａと、これに噛み合って回転する遊星ギヤ５９ｂと、遊星ギヤ５９ｂを太陽ギヤ５９ａの周りで転接させる揺動アーム５９ｃと、アームシフト部６３とから構成する。
【００５１】
アームシフト部６３はソレノイドから構成されており、通電されていない場合は、内蔵するコイルバネ６３ａにより揺動アーム５９ｃをフイルム送り用ギヤ列６１（図９参照）の駆動歯車８０に噛み合うように位置させており、フイルム送りモータ３５の回転をスプール回転軸１８に伝達する。また、圧板位置切り替え信号によりソレノイドが通電されると、揺動アーム５９ｃが圧板位置切り替え用ギヤ列５８の駆動ギヤ８１側に回転して、遊星ギヤ５９ｂの回転が圧板位置切り替え用ギヤ列５８に伝達され、押動カム５５が回転する。
【００５２】
なお、アームシフト部６３を用いて強制的に遊星ギヤ５９ｂの噛み合い位置を変更する代わりに、図１１に示すように、フイルム送りモータ３５の回転方向を変えることで、遊星ギヤ５９ｂの太陽ギヤ５９ａ上での噛み合い位置を変更して、フイルム送りモータ３５の回転を、スプール回転軸又は押動カムのいずれか一方に選択的に伝達させてもよい。この場合には、フイルム送りモータ３５をフイルム送り方向に回転すると、太陽ギヤ５９ａが時計方向に回転し、この回転に伴い遊星ギヤ５９ｂも太陽ギヤ５９ａの周りを時計方向に回転してフイルム送り用ギヤ列６１の駆動ギヤ８０に噛み合う。
【００５３】
これにより、フイルム送りモータ３５の回転がフイルム送り用ギヤ列６１に伝達され、スプール回転軸１８をフイルム巻取り方向に回転させて、スプール１７にフイルム１６を巻き取る。また、フイルム送りモータ３５がフイルム送り方向とは反対側に回転すると、遊星ギヤ５９ｂが圧板位置切替え用ギヤ列の駆動ギヤ８１に噛み合って、フイルム送りモータ３５の回転を押動カム５５に伝達する。
【００５４】
写真フイルム１６をフイルム収納室１４にセットしてフイルム初期送りを行った後に、トンネル隙間を変更しようとすると、太陽ギヤ５９ａがフイルム送り方向とは反対の押動カム回転方向に回転する。したがって、この時に、遊星ギヤ５９ｂがフイルム送り側駆動ギヤ８０に噛み合っていると、回転初期に僅かにフイルム送り側駆動ギヤ８０がフイルム送り方向とは逆に回転してしまい、これによりスプール回転軸１８がフイルム巻取り方向とは反対方向に少し回転してフイルム１６に巻き弛みが発生する。同様にして、圧板位置切替えを行った後に、フイルムのコマ送りを行う場合にも、コマ送り初期時に、遊星ギヤ５９ｂが圧板位置切替え側駆動ギヤ８１に噛み合っていると、回転初期に僅かに圧板位置切替え側駆動ギヤ８１が逆転してしまい、これにより押動カム４５のシフト位置が変化する。
【００５５】
この巻き弛みやシフト位置の変更を防止するために、本実施形態では、図１１に示すように、初期回転吸収型の二重ギヤを用いている。この二重ギヤは、２枚の副ギヤ８０ａ，８０ｂを互いに回転自在に同軸で重ね合わせ、これらの副ギヤ８０ａ，８０ｂをその各対向面に設けた係合突起８０ｃ，８０ｄで係合させて構成されている。下側の副ギヤ８０ａには、上側の副ギヤ８０ｂとの対向面に７２°のピッチで４個の係合突起８０ｃと１個のバネ板８０ｅとが設けられている。また、上側の副ギヤ８０ｂには、下側の副ギヤ８０ａとの対向面に７２°のピッチで４個の係合突起８０ｄと、バネ板８０ｅの先端を受ける係合凹部８０ｆとが設けられている。そして、バネ板８０ｅの先端が係合凹部８０ｆに入り込むように２枚の副ギヤ８０ａ，８０ｂが重ね合わされている。
【００５６】
バネ板８０ｅは、２つの副ギヤ８０ａ，８０ｂをその係合突起８０ｃ，８０ｄの間がほぼ同じ隙間になる中立位置に位置決めさせる。したがって、遊星ギヤ５９ｂがフイルム送り側駆動ギヤ８０の副ギヤ８０ａに噛み合ってフイルム送り方向とは反対方向に回転する場合には、これら係合突起８０ｃ，８０ｄの間の隙間でこの回転が吸収されるため、スプール回転軸にこの回転が伝達されることがない。また、圧板位置切替え側駆動ギヤ８１もフイルム送り側駆動ギヤ８０と同じ構成の副ギヤ８１ａ，８１ｂから構成されている。
【００５７】
なお、中立位置を保持させるためにバネ体８０ｅを設けているが、これは省略してもよい。この場合にも、回転方向が切り替わると、この初期回転により各係合部の係合面が変わるため、初期回転が吸収される。したがって、遊星ギヤが噛み合っていた駆動ギヤに遊星ギヤの駆動が伝達されることがなくなる。また、初期回転吸収型の二重ギヤを用いる代わりに、一方向クラッチを用いてもよく、この場合にも、揺動アームが切り替わる前の初期回転における遊星ギヤの逆転が、スプール回転軸や押動カム側に伝達されることがなくなる。
【００５８】
上記実施形態では、フイルム送りモータ３５を用いてフイルムを自動的に巻き取るようにしたが、これに代えて、フイルム巻取りレバーを用いて手動でフイルムを巻き取るカメラに本発明を実施してもよい。
【００５９】
上記実施形態では押動ピン５１を用いて押動カム５５のシフトを圧板４２に伝達させたが、この他に、押動ピン５１を省略して、押動カム５５を圧板４２に直接に接触させて圧板４２を撮影光軸方向にシフトさせてもよい。上記実施形態では、押動ピン５１を４個用いているが、本発明はこの個数に限定されることはない。フイルム走行面に対して平行に圧板４２をシフトすることができるものであればよく、３個以上であれば何個でもよい。
【００６０】
上記実施形態では、１２０タイプと２２０タイプの二種類にトンネル隙間を設定したが、この他に、図１２に示すような押動カム８３を用いてもよい。この押動カム８３は、２２０タイプ用シフト部８３ａを基準にして、シフト量Ｓ１を有する新タイプ用シフト部８３ｂと、シフト量Ｓ２を有する１２０タイプ用シフト部８３ｃと、シフト量Ｓ３を有する新タイプ用シフト部８３ｄとを９０°ピッチで順に有する。したがって、従来のものとはフイルム厚さが異なる新タイプのフイルムが提供された場合にも、これら新タイプ用シフト部８３ｂ，８３ｄを用いることで簡単に対応が可能になる。なお、図１２の押動カム８３は、新タイプフイルムの厚みが２２０タイプよりも厚く１２０タイプよりも薄い場合のものであるが、この他に、２２０タイプよりも薄い新タイプフイルムや、１２０タイプよりも厚い新タイプフイルムの場合には、当然のことながら、それに合わせてシフト量を設定する。
【００６１】
また、新タイプフイルムのフイルム厚みが予め分かっていない場合には、１２０タイプと２２０タイプとの間のシフト量を無段階に変化可能なカム形状にしておき、このカムの回転変位からシフト量を求めて、このシフト量により新タイプフイルムに対応するトンネル隙間に設定してもよい。
【００６２】
また、上記実施形態では、押動カム５５を連結する連結軸５６をカムバネ板６２により付勢して押動ピン５１を圧板４２側に付勢したが、この他に、押動カム５５をカムバネ板で付勢してもよい。更には、図１３に示すように、押動カム５５と押動ピン５１との間にバネ板８５を設けて、バネ板８５を介して押動ピン５１を圧板方向にシフトさせてもよい。この場合には、押動カム５５の回転によりバネ板８５を曲げて押動ピン５１のつば５１ａがガイド孔５０の縁面５０ａに当接するように押しつけるので、効率のよい押動が行える。なお、上記実施形態と同じ構成部材には同一符号が付してある。また、押動ピン５１で圧板４２をシフトさせる他に、フイルム送り方向の２個の押動ピン５１の先端に圧板受けレールをかけ渡すように設け、これら上下方向に配置した１対の可動圧板受けレールを介して圧板４２を変位させてもよい。
【００６３】
上記実施形態ではバーコードセンサ２３を用いて写真フイルム１６のバーコードを読み取り、これに基づきトンネル隙間を自動的に設定するようにしたが、手動で切り替えるようにしてもよい。この場合には、圧板位置変更スイッチを操作してモータを圧板位置切替え方向に回転させるなどして、圧板位置の切替えを行う。
【００６４】
また、上記実施形態では、トンネル隙間を最大設定値にしてフイルムの初期送りを行うようにしたが、このトンネル隙間は最大設定値に限定されることなく、例えば２２０ロールフイルムの最大厚み部分が円滑に通過することができる隙間であればよい。更には、１２０ロールフイルム用のトンネル隙間よりも大きな隙間に設定してフイルム初期送りをしてもよく、この場合にはフイルム初期送りの際の負荷をより一層軽減させることができる。
【００６５】
【発明の効果】
以上説明したように、本発明では、フイルムの先端側及び後端側に遮光用のリーダーペーパー及びトレーラーペーパーが設けられた遮光紙付きフイルムが用いられるカメラにおいて、カメラ本体に設けられたフイルムレールとの間に少なくとも広狭２種類のトンネル隙間を形成する２位置間で移動自在な圧板と、リーダーペーパーとフイルムの先端とを接合している接合テープが圧板まで給送される前のリーダーペーパー給送期間中は圧板をトンネル隙間が狭い第１の位置に移動させ、前記リーダーペーパー給送期間の後には圧板をトンネル隙間が広い第２の位置に移動させる圧板位置切替装置とを備えたから、リーダーペーパーあるいはトレーラーペーパーを巻取りスプールに緊密に巻きつけることができるようにしたカメラを提供することができる。
【図面の簡単な説明】
【図１】本発明のカメラの要部を裏蓋側から見た斜視図である。
【図２】カメラの裏蓋を開けた状態のカメラ本体側と圧板とを分解して示す斜視図である。
【図３】カメラの制御系を示すブロック図である。
【図４】トンネル隙間を説明するための縦断面図であり、（Ａ）は、２２０ロールフイルム用のトンネル隙間を表し、（Ｂ）は１２０ロールフイルム用のトンネル隙間を表している。
【図５】トンネル隙間を説明するための横断面図であり、（Ａ）は、２２０ロールフイルム用のトンネル隙間を表し、（Ｂ）は１２０ロールフイルム用のトンネル隙間を表している。
【図６】写真フイルムの初期送り処理を示すフローチャートである。
【図７】圧板位置の切替え処理を示すフローチャートである。
【図８】写真フイルムの最終送り処理を示すフローチャートである。
【図９】フイルム送りモータを用いて圧板位置を切り替える他の実施形態を示す斜視図である。
【図１０】遊星ギヤクラッチを示す斜視図である。
【図１１】二重ギヤを用いた遊星ギヤクラッチを示す斜視図である。
【図１２】別の実施形態における押動カムを示す平面図である。
【図１３】押動カムの位置を変えた他の実施形態を示す横断面図である。
【符号の説明】
１０  裏蓋
１１  カメラ本体
１２  アパーチャ
１３  フイルム通路
３５  フイルム送りモータ
３６  圧板位置切替えモータ
４０，４１  フイルムレール
４２  圧板
４３，４４  圧板受けレール
４８  圧板バネ
５０  ガイド孔
５１  押動ピン
５２  圧板位置切替装置
５５  押動カム
５９  遊星ギヤクラッチ
６０  軸孔
６２  カムバネ板
６３  アームシフト部
８０，８１  駆動ギヤ
８５  バネ板
【図１】
0003615049.tif 000002
【図２】
0003615049.tif 000003
【図３】
0003615049.tif 000004
【図４】
0003615049.tif 000005
【図５】
0003615049.tif 000006
【図６】
0003615049.tif 000007
【図７】
0003615049.tif 000008
【図８】
0003615049.tif 000009
【図９】
0003615049.tif 000010
【図１０】
0003615049.tif 000011
【図１１】
0003615049.tif 000012
【図１２】
0003615049.tif 000013
【図１３】
0003615049.tif 000014